(57)【要約】【課題】固形物によるフィルタの目詰まりを抑制することにより、効率の良い水切りを実施するとともに、固形物の回収率の向上にも寄与することができる遠心式脱水機を提供すること。【解決手段】縦置の円筒型フィルタ１を回転させ、この円筒型フィルタ１内に投入した含水固形物を遠心力により水切り脱水する遠心式脱水機において、円筒型フィルタ１のフィルタ２の内周面に、半径内方向に下り傾斜となるリング状の固液分離板３を周設する。【選択図】図１
2009148665.tif 000002
【特許請求の範囲】
【請求項１】
縦置の円筒型フィルタを回転させ、該円筒型フィルタ内に投入した含水固形物を遠心力により水切り脱水する遠心式脱水機において、円筒型フィルタのフィルタ内周面に、半径内方向に下り傾斜となるリング状の固液分離板を周設したことを特徴とする遠心式脱水機。
【請求項２】
固液分離板を円筒型フィルタの高さ方向に複数段設置したことを特徴とする請求項１記載の遠心式脱水機。
【発明の詳細な説明】
【技術分野】
【０００１】
本発明は、下水処理分野や食品産業分野等で使用される遠心式脱水機に関し、特に、固形物によるフィルタの目詰まりを抑制することにより、効率の良い水切りを実施するとともに、固形物の回収率の向上にも寄与することができる遠心式脱水機に関するものである。
【背景技術】
【０００２】
例えば、下水処理にて発生するし渣は、多量の水分を含んでいるため、脱水機により脱水処理を受ける。
簡易な脱水機として遠心式脱水機があり、この遠心式脱水機は、図２に示すように、縦置の円筒型フィルタ１を高速回転させ、該円筒型フィルタ１内に投入した含水固形物を遠心力により水切り脱水するようにしている。
【０００３】
円筒型フィルタ１は、有底筒状の容器の周面に所定目幅のフィルタ２を配設したものからなり、回転軸４１を介して駆動モータ４により高速で回転する。
円筒型フィルタ１の周囲には、脱離液Ｂを回収するケーシング５が設置されており、フィルタ２を通過して該ケーシング５で回収された脱離液Ｂは、脱離液管５１から排出される。
【０００４】
ところで、このような従来の遠心式脱水機の欠点として、図２に示すように、固形物Ａが瞬時に円筒型フィルタ１のフィルタ２の壁面に張り付き、固形物Ａがフィルタとなって水切り効率が悪化するという問題がある。
さらに、汚泥等の懸濁液を脱水する場合、フィルタ２から固形物Ａが抜け出し、回収率が悪化するという問題があった。
【発明の開示】
【発明が解決しようとする課題】
【０００５】
本発明は、上記従来の遠心式脱水機が有する問題点に鑑み、固形物によるフィルタの目詰まりを抑制することにより、効率の良い水切りを実施するとともに、固形物の回収率の向上にも寄与することができる遠心式脱水機を提供することを目的とする。
【課題を解決するための手段】
【０００６】
上記目的を達成するため、本発明の遠心式脱水機は、縦置の円筒型フィルタを回転させ、該円筒型フィルタ内に投入した含水固形物を遠心力により水切り脱水する遠心式脱水機において、円筒型フィルタのフィルタ内周面に、半径内方向に下り傾斜となるリング状の固液分離板を周設したことを特徴とする。
【０００７】
この場合において、固液分離板を円筒型フィルタの高さ方向に複数段設置することができる。
【発明の効果】
【０００８】
本発明の遠心式脱水機によれば、縦置の円筒型フィルタを回転させ、該円筒型フィルタ内に投入した含水固形物を遠心力により水切り脱水する遠心式脱水機において、円筒型フィルタのフィルタ内周面に、半径内方向に下り傾斜となるリング状の固液分離板を周設することから、比重の小さい水分は従来と同様に直ちにフィルタ内周面まで到達しフィルタ外へと排出されるが、比重の大きい固形物はこの固液分離板の傾斜により瞬時にはフィルタの内周面に到達せず、円筒の内側へと搬送される力が働き、これにより、固形物によるフィルタの目詰まりを抑制して脱水時間を短縮し、効率の良い水切りを実施するとともに、固形物の回収率の向上にも寄与することができる。
また、固液分離板で前処理的に固液分離が行われるため、汚泥等の懸濁液を脱水する場合において、従来よりも回収率を向上させることができる。
【０００９】
また、固液分離板を円筒型フィルタの高さ方向に複数段設置することにより、フィルタ全面において固液分離板による作用を発揮させることができる。
【発明を実施するための最良の形態】
【００１０】
以下、本発明の遠心式脱水機の実施の形態を、図面に基づいて説明する。
【実施例１】
【００１１】
図１に、本発明の遠心式脱水機の一実施例を示す。
この遠心式脱水機は、縦置の円筒型フィルタ１を回転させ、該円筒型フィルタ１内に投入した含水固形物を遠心力により水切り脱水するものであり、円筒型フィルタ１のフィルタ２の内周面に、半径内方向に下り傾斜となるリング状の固液分離板３を周設している。
【００１２】
円筒型フィルタ１は、有底筒状の容器の周面に所定目幅のフィルタ２を配設したものからなり、回転軸４１を介して駆動モータ４により高速で回転する。
円筒型フィルタ１の周囲には、脱離液Ｂを回収するケーシング５が設置されており、フィルタ２を通過して該ケーシング５で回収された脱離液Ｂは、脱離液管５１から排出される。
【００１３】
固液分離板３は、円筒型フィルタ１の半径内方向に下り傾斜となるリング状の金属板等からなり、フィルタ２の内側に周設されている。
本実施例では、この固液分離板３を、円筒型フィルタ１の高さ方向に複数段設置している。
これにより、比重の小さい水分は従来と同様に直ちにフィルタ２の内周面まで到達し、フィルタ２の外へと排出されるが、比重の大きい固形物Ａはこの固液分離板３の傾斜により瞬時にはフィルタ２の内周面に到達せず、円筒の内側へと搬送される力が働く。これにより、脱水時間の短縮が期待できるため、効率の良い水切りを実施することができる。
また、固液分離板３での固液分離が達成できるため、汚泥等の懸濁液を脱水する場合において、回収率が従来よりも向上する。
【００１４】
固液分離板３は、可能な限り急斜面で形成することが望ましいが、脱離液Ｂの排出の抵抗とならない程度に設計するのが好適である。
この固液分離板３のフィルタ２の内周面に対する傾斜角度θは、対象処理物により選択することができるが、概ね、２０〜７０°程度の範囲（本実施例においては、約６０°）が適当である。
また、固液分離板３は、フィルタ２と共に交換することができる。
【００１５】
かくして、本実施例の遠心式脱水機は、縦置の円筒型フィルタ１を回転させ、該円筒型フィルタ１内に投入した含水固形物を遠心力により水切り脱水する遠心式脱水機において、円筒型フィルタ１のフィルタ内周面に、半径内方向に下り傾斜となるリング状の固液分離板３を周設することから、比重の小さい水分は従来と同様に直ちにフィルタの内周面まで到達しフィルタ外へと排出されるが、比重の大きい固形物Ａはこの固液分離板３の傾斜により瞬時にはフィルタの内周面に到達せず、円筒の内側へと搬送される力が働き、これにより、固形物Ａによるフィルタ２の目詰まりを抑制して脱水時間を短縮し、効率の良い水切りを実施するとともに、固形物Ａの回収率の向上にも寄与することができる。
また、固液分離板３で前処理的に固液分離が行われるため、汚泥等の懸濁液を脱水する場合において、従来よりも回収率を向上させることができる。
【００１６】
また、固液分離板３を円筒型フィルタ１の高さ方向に複数段設置することにより、フィルタ２の全面において固液分離板３による作用を発揮させることができる。
【００１７】
以上、本発明の遠心式脱水機について、その実施例に基づいて説明したが、本発明は上記実施例に記載した構成に限定されるものではなく、その趣旨を逸脱しない範囲において適宜その構成を変更することができる。
【産業上の利用可能性】
【００１８】
本発明の遠心式脱水機は、固形物によるフィルタの目詰まりを抑制することにより、効率の良い水切りを実施するとともに、固形物の回収率の向上にも寄与するという特性を有していることから、例えば、下水処理分野や食品産業分野等で使用される遠心式脱水機として広く好適に用いることができる。
【図面の簡単な説明】
【００１９】
【図１】本発明の遠心式脱水機の一実施例を示す断面図である。
【図２】従来の遠心式脱水機を示す断面図である。
【符号の説明】
【００２０】
１    円筒型フィルタ
２    フィルタ
３    固液分離板
４    駆動モータ
４１  回転軸
５    ケーシング
５１  脱離液管
Ａ    固形物
Ｂ    脱離液
【図１】
2009148665.tif 000003
【図２】
2009148665.tif 000004